(57)【要約】【課題】電子機器の内部に収容されたカードトレイを、ピンのような操作ツールを使用することなく排出可能な機構を提供すること。【解決手段】カードトレイ３０は、前後方向（Ｘ方向）において前方（−Ｘ方向）に移動することで、接点１４を備えた電子機器１０の内部に挿入され収容される。カードトレイ３０は、トレイ本体４０と、可動部５０と、端子６２，６４、ロック部７２８及びバネ部６８を含む排出制御機構６０とを備えている。可動部５０は、前後方向において、トレイ本体４０に対して相対的に移動可能である。ロック部７２８は、可動部５０を一時的に初期位置（図６の位置）に維持する。端子６２は、カードトレイ３０が電子機器１０に収容された収容状態において、接点１４と接触する。バネ部６８は、接点１４及び端子６２を経由して流れる電流に応じて伸び、可動部５０を、初期位置から後方（＋Ｘ方向）に移動させる。【選択図】図６
2020008974.tif 000002
【特許請求の範囲】
【請求項１】
前後方向において前方に移動することで、接点を備えた電子機器の内部に挿入され収容されるカードトレイであって、
前記カードトレイは、トレイ本体と、可動部と、排出制御機構とを備えており、
前記トレイ本体は、カードを搭載する搭載部を有しており、
前記可動部は、前記前後方向において、前記トレイ本体に対して相対的に移動可能であり、
前記排出制御機構は、端子を備えており、
前記端子は、前記カードトレイが前記電子機器に収容された収容状態において、前記接点と接触し、
前記排出制御機構は、前記可動部を一時的に初期位置に維持すると共に、前記接点及び前記端子を経由して流れる電流に応じて、前記可動部を前記初期位置から後方に移動させる
カードトレイ。
【請求項２】
請求項１記載のカードトレイであって、
前記排出制御機構は、前記トレイ本体に取り付けられている
カードトレイ。
【請求項３】
請求項１又は請求項２記載のカードトレイであって、
前記可動部は、前記前後方向において、前方限界位置と後方限界位置との間を前記トレイ本体に対して相対的に移動可能であり、
前記可動部は、前記前方限界位置を越えて前方に移動できず、且つ、前記後方限界位置を越えて後方に移動できず、
前記初期位置は、前記前後方向において、前記前方限界位置と同じ位置にあるか、又は、前記前方限界位置と前記後方限界位置との間にある
カードトレイ。
【請求項４】
請求項３記載のカードトレイであって、
前記可動部は、被受止部を有しており、
前記トレイ本体及び前記排出制御機構からなる内部構造体は、受止部を有しており、
前記可動部が前記トレイ本体に対して相対的に後方に移動する際、前記可動部が前記後方限界位置に達すると、前記被受止部が前記受止部に受け止められる
カードトレイ。
【請求項５】
請求項１から請求項４までのいずれかに記載のカードトレイであって、
前記排出制御機構は、形状記憶部品を備えており、
前記形状記憶部品は、前記接点及び前記端子を経由して流れる前記電流に応じて初期形状から所定形状に変形し、
前記排出制御機構は、前記形状記憶部品が前記所定形状に変形することで、前記可動部を前記初期位置から後方に移動させる
カードトレイ。
【請求項６】
請求項５記載のカードトレイであって、
前記形状記憶部品は、形状記憶合金からなり、
前記形状記憶部品は、前記接点及び前記端子を経由して前記形状記憶部品を流れる前記電流に応じて前記初期形状から前記所定形状に変形して復元し、
前記排出制御機構は、前記形状記憶部品が前記所定形状に復元することで、前記可動部を前記初期位置から後方に移動させる
カードトレイ。
【請求項７】
請求項６記載のカードトレイであって、
前記排出制御機構は、ロック部と、バネ部とを備えており、
前記ロック部及び前記バネ部の少なくとも一方は、前記形状記憶部品であり、
前記可動部は、被ロック部を有しており、
前記ロック部は、前記形状記憶部品が前記初期形状を取っているとき、前記被ロック部をロックして、前記可動部を一時的に前記初期位置に維持し、
前記バネ部は、少なくとも前記形状記憶部品が前記所定形状に復元するとき、前記可動部に対して排出力を加え、
前記被ロック部は、前記形状記憶部品が前記所定形状に復元することで、ロック解除される
カードトレイ。
【請求項８】
請求項７記載のカードトレイであって、
前記バネ部は、前記形状記憶部品であり、
前記バネ部は、前記初期形状を取っているとき、前記可動部に対して後方に向かう初期力を加え、
前記初期力は、前記排出力よりも弱く、
前記ロック部は、前記バネ部が前記初期形状を取っているとき、前記初期力に抗って前記可動部を一時的に前記初期位置に維持し、
前記被ロック部は、前記排出力によってロック解除される
カードトレイ。
【請求項９】
請求項７又は請求項８記載のカードトレイであって、
前記バネ部は、つるまきばねである
カードトレイ。
【請求項１０】
請求項７から請求項９までのいずれかに記載のカードトレイであって、
前記電子機器の接点は、第１接点と、第２接点とを含んでおり、
前記可動部は金属製であり、
前記排出制御機構は、金属製のシェルを備えており、
前記排出制御機構の前記端子は、第１端子と、第２端子とを含んでおり、
前記収容状態において、前記第１端子及び前記第２端子は、前記第１接点及び前記第２接点と夫々接触しており、
前記バネ部は、接続端と、排出端とを有しており、
前記バネ部の前記接続端は、前記第１端子に接続されており、
前記バネ部の前記排出端は、前記可動部と接触しており、
前記可動部は、前記シェルと接触しており、
前記シェルは、前記第２端子と接触している
カードトレイ。
【請求項１１】
請求項１から請求項１０までのいずれかに記載のカードトレイであって、
前記電子機器には、前記カードトレイが挿入される開口が形成されており、
前記可動部は、蓋部を有しており、
前記収容状態において前記可動部が前記初期位置にあるとき、前記蓋部は、前記開口を塞いでいる
カードトレイ。
【発明の詳細な説明】
【技術分野】
【０００１】
本発明は、電子機器においてＳＩＭ（Subscriber Identity Module）カード等のカードを搭載するカードトレイに関する。
【背景技術】
【０００２】
このようなカードトレイは、例えば、特許文献１に開示されている。
【０００３】
図１９から図２１までを参照すると、特許文献１の電子機器９０は、コネクタ主部（コネクタ）９４とトレイ９６とを含むコネクタ装置を備えている。コネクタ９４は、電子機器９０の内部に取り付けられている。トレイ９６は、カードトレイであり、ＳＩＭカード等のカード（図示せず）を搭載した状態で、コネクタ９４の内部に挿入可能である。コネクタ９４の内部に挿入されたトレイ９６は、ピン９８を使用して排出できる。詳しくは、コネクタ９４には、トレイ９６をロックしてコネクタ９４内部に留めるためのロック機構９４２、ロック機構９４２によるロックを解除するためのロック解除機構９４４、ロック解除されたトレイ９６を排出するためのイジェクト機構９４６等の様々な部材が設けられている。トレイ９６は、ピン挿入孔９６４が形成されたドア部材９６２を備えている。ピン挿入孔９６４からピン９８を挿入してロック解除機構９４４を操作すると、トレイ９６のロックが解除され、トレイ９６が排出される。
【先行技術文献】
【特許文献】
【０００４】
【特許文献１】特開２０１４−２３５９９４号公報
【発明の概要】
【発明が解決しようとする課題】
【０００５】
従来技術によれば、電子機器の内部に収容されたカードトレイを排出するためには、ピンのような操作ツールが必要である。従って、ピンを紛失したような場合、カードトレイの排出が困難になる。
【０００６】
そこで、本発明は、電子機器の内部に収容されたカードトレイを、ピンのような操作ツールを使用することなく排出可能な機構を提供することを目的とする。
【課題を解決するための手段】
【０００７】
本発明は、第１のカードトレイとして、
前後方向において前方に移動することで、接点を備えた電子機器の内部に挿入され収容されるカードトレイであって、
前記カードトレイは、トレイ本体と、可動部と、排出制御機構とを備えており、
前記トレイ本体は、カードを搭載する搭載部を有しており、
前記可動部は、前記前後方向において、前記トレイ本体に対して相対的に移動可能であり、
前記排出制御機構は、端子を備えており、
前記端子は、前記カードトレイが前記電子機器に収容された収容状態において、前記接点と接触し、
前記排出制御機構は、前記可動部を一時的に初期位置に維持すると共に、前記接点及び前記端子を経由して流れる電流に応じて、前記可動部を前記初期位置から後方に移動させる
カードトレイを提供する。
【０００８】
また、本発明は、第２のカードトレイとして、第１のカードトレイであって、
前記排出制御機構は、前記トレイ本体に取り付けられている
カードトレイを提供する。
【０００９】
また、本発明は、第３のカードトレイとして、第１又は第２のカードトレイであって、
前記可動部は、前記前後方向において、前方限界位置と後方限界位置との間を前記トレイ本体に対して相対的に移動可能であり、
前記可動部は、前記前方限界位置を越えて前方に移動できず、且つ、前記後方限界位置を越えて後方に移動できず、
前記初期位置は、前記前後方向において、前記前方限界位置と同じ位置にあるか、又は、前記前方限界位置と前記後方限界位置との間にある
カードトレイを提供する。
【００１０】
また、本発明は、第４のカードトレイとして、第３のカードトレイであって、
前記可動部は、被受止部を有しており、
前記トレイ本体及び前記排出制御機構からなる内部構造体は、受止部を有しており、
前記可動部が前記トレイ本体に対して相対的に後方に移動する際、前記可動部が前記後方限界位置に達すると、前記被受止部が前記受止部に受け止められる
カードトレイを提供する。
【００１１】
また、本発明は、第５のカードトレイとして、第１から第４までのいずれかのカードトレイであって、
前記排出制御機構は、形状記憶部品を備えており、
前記形状記憶部品は、前記接点及び前記端子を経由して流れる前記電流に応じて初期形状から所定形状に変形し、
前記排出制御機構は、前記形状記憶部品が前記所定形状に変形することで、前記可動部を前記初期位置から後方に移動させる
カードトレイを提供する。
【００１２】
また、本発明は、第６のカードトレイとして、第５のカードトレイであって、
前記形状記憶部品は、形状記憶合金からなり、
前記形状記憶部品は、前記接点及び前記端子を経由して前記形状記憶部品を流れる前記電流に応じて前記初期形状から前記所定形状に変形して復元し、
前記排出制御機構は、前記形状記憶部品が前記所定形状に復元することで、前記可動部を前記初期位置から後方に移動させる
カードトレイを提供する。
【００１３】
また、本発明は、第７のカードトレイとして、第６のカードトレイであって、
前記排出制御機構は、ロック部と、バネ部とを備えており、
前記ロック部及び前記バネ部の少なくとも一方は、前記形状記憶部品であり、
前記可動部は、被ロック部を有しており、
前記ロック部は、前記形状記憶部品が前記初期形状を取っているとき、前記被ロック部をロックして、前記可動部を一時的に前記初期位置に維持し、
前記バネ部は、少なくとも前記形状記憶部品が前記所定形状に復元するとき、前記可動部に対して排出力を加え、
前記被ロック部は、前記形状記憶部品が前記所定形状に復元することで、ロック解除される
カードトレイを提供する。
【００１４】
また、本発明は、第８のカードトレイとして、第７のカードトレイであって、
前記バネ部は、前記形状記憶部品であり、
前記バネ部は、前記初期形状を取っているとき、前記可動部に対して後方に向かう初期力を加え、
前記初期力は、前記排出力よりも弱く、
前記ロック部は、前記バネ部が前記初期形状を取っているとき、前記初期力に抗って前記可動部を一時的に前記初期位置に維持し、
前記被ロック部は、前記排出力によってロック解除される
カードトレイを提供する。
【００１５】
また、本発明は、第９のカードトレイとして、第７又は第８のカードトレイであって、
前記バネ部は、つるまきばねである
カードトレイを提供する。
【００１６】
また、本発明は、第１０のカードトレイとして、第７から第９までのいずれかのカードトレイであって、
前記電子機器の接点は、第１接点と、第２接点とを含んでおり、
前記可動部は金属製であり、
前記排出制御機構は、金属製のシェルを備えており、
前記排出制御機構の前記端子は、第１端子と、第２端子とを含んでおり、
前記収容状態において、前記第１端子及び前記第２端子は、前記第１接点及び前記第２接点と夫々接触しており、
前記バネ部は、接続端と、排出端とを有しており、
前記バネ部の前記接続端は、前記第１端子に接続されており、
前記バネ部の前記排出端は、前記可動部と接触しており、
前記可動部は、前記シェルと接触しており、
前記シェルは、前記第２端子と接触している
カードトレイを提供する。
【００１７】
また、本発明は、第１１のカードトレイとして、第１から第１０までのいずれかのカードトレイであって、
前記電子機器には、前記カードトレイが挿入される開口が形成されており、
前記可動部は、蓋部を有しており、
前記収容状態において前記可動部が前記初期位置にあるとき、前記蓋部は、前記開口を塞いでいる
カードトレイを提供する。
【発明の効果】
【００１８】
本発明によれば、電子機器を操作する等の方法によって排出制御機構に電流を流すだけで、可動部を後方に向かって移動させることができ、これにより、可動部を電子機器から少なくとも部分的に排出できる。例えば、電子機器から排出された可動部を後方に向かって引っ張ることで、カードトレイ全体を電子機器から抜去できる。即ち、本発明によれば、コネクタに挿入したカードトレイを、ピンのような操作ツールを使用することなく排出可能な排出制御機構を提供できる。
【図面の簡単な説明】
【００１９】
【図１】本発明の実施の形態による電子機器を示す斜視図である。カードトレイは電子機器の内部に収容されている。カードトレイの可動部は初期位置にある。
【図２】図１の電子機器のカードトレイ及びコネクタを示す斜視図である。カードトレイにはカードが搭載されている。カードトレイはコネクタに挿入されている。電子機器の所定面の一部の輪郭を破線で描画している。
【図３】図２のカードトレイ及びコネクタを示す斜視図である。カードトレイはコネクタから離れている。
【図４】図３のカードトレイを示す斜視図である。カードトレイにはカードが搭載されていない。
【図５】図４のカードトレイを示す分解斜視図である。
【図６】図４のカードトレイを示す上面図である。バネ部等の隠れた部位の輪郭及び電子機器の接点の輪郭を破線で描画している。
【図７】図６のカードトレイをＶＩＩ−ＶＩＩ線に沿って示す断面図である。カードトレイの一部（破線で囲んだ部分）を拡大して描画している。
【図８】図６のカードトレイをＶＩＩＩ−ＶＩＩＩ線に沿って示す断面図である。カードトレイの一部（破線で囲んだ部分）を拡大して描画している。
【図９】図６のカードトレイをＩＸ−ＩＸ線に沿って示す断面図である。
【図１０】図４のカードトレイを示す底面図である。
【図１１】図４のカードトレイを示す側面図である。
【図１２】図１１のカードトレイをＸＩＩ−ＸＩＩ線に沿って示す断面図である。
【図１３】図４のカードトレイを示す斜視図である。カードトレイの可動部は後方限界位置にある。
【図１４】図１３のカードトレイを示す上面図である。バネ部等の隠れた部位の輪郭及び電子機器の接点の輪郭を破線で描画している。
【図１５】図１３のカードトレイを示す断面図である。断面は図７の断面に対応している。カードトレイの一部（破線で囲んだ部分）を拡大して描画している。
【図１６】図１３のカードトレイを示す断面図である。断面は図１２の断面に対応している。
【図１７】図２のカードトレイ及びコネクタを示す斜視図である。カードトレイの可動部は後方限界位置にある。電子機器の所定面の一部の輪郭及び開口の輪郭を破線で描画している。
【図１８】図１の電子機器を示す斜視図である。カードトレイの可動部は後方限界位置にある。
【図１９】特許文献１の電子機器を示す斜視図である。電子機器においてトレイはコネクタの内部に挿入されている。
【図２０】図１９の電子機器の内部を示す上面図である。トレイのピン挿入孔からピンが挿入されている。
【図２１】図１９の電子機器を示す斜視図である。トレイはコネクタから部分的に排出されている。
【発明を実施するための形態】
【００２０】
図１及び図２を参照すると、本発明の実施の形態による電子機器１０は、カード８０を収容可能である。カード８０は、ＳＩＭ（Subscriber Identity Module）カードであってもよいし、ＳＩＭカード以外のカードであってもよい。本実施の形態において、電子機器１０の内部には、コネクタ２０が取り付けられている。コネクタ２０は、カード８０を電子機器１０の電子回路（図示せず）と電気的に接続するための装置であり、カード８０を搭載したカードトレイ３０と嵌合可能である。
【００２１】
図２及び図３を参照すると、本実施の形態のコネクタ２０は、絶縁体からなるハウジング２２と、導電体からなるシールド部材２４とを備えている。コネクタ２０には、ハウジング２２及びシールド部材２４によって規定される収容部２８が形成されている。収容部２８は、コネクタ２０と嵌合したカードトレイ３０を部分的に収容可能である。カードトレイ３０が収容部２８に収容されると、カードトレイ３０に搭載されたカード８０の電極（図示せず）は、コネクタ２０のコンタクト（図示せず）と接触し、これにより、カード８０は、電子機器１０の電子回路（図示せず）と電気的に接続される。
【００２２】
本実施の形態のコネクタ２０は、ハウジング２２及びシールド部材２４とから、全体として平板形状を有するように形成されている。但し、カードトレイ３０に搭載されたカード８０を電子機器１０の電子回路（図示せず）に電気的に接続できる限り、コネクタ２０の構造は、特に限定されない。また、コネクタ２０は、電子機器１０から取り外し可能であってもよく、電子機器１０と一体に形成されていてもよい。即ち、コネクタ２０は、電子機器１０と別体の装置であってもよく、電子機器１０の一部であってもよい。
【００２３】
以下、本実施の形態によるカードトレイ３０の基本的な構造について説明する。
【００２４】
図３及び図４を参照すると、カードトレイ３０は、絶縁体からなるトレイ本体４０と、導電体からなる可動部５０とを備えている。トレイ本体４０は、前後方向（Ｘ方向）において可動部５０の前方（−Ｘ側）に位置している。
【００２５】
トレイ本体４０は、カード８０を搭載する搭載部４６を有している。本実施の形態の搭載部４６には、２つのカード８０をＸ方向に並べて搭載できる。また、可動部５０は、カードトレイ３０全体を後方から覆う蓋部５２を有している。蓋部５２は、後面（露出面）５２２を有している。露出面５２２は、垂直面（ＹＺ平面）と平行に延びる凹凸のない平面である。但し、本発明は、これに限られず、トレイ本体４０及び可動部５０の構造は、必要に応じて様々に変形可能である。
【００２６】
図１０及び図１１を参照すると、搭載部４６の前端（−Ｘ側の端）は、トレイ本体４０の前端４０Ｆに位置している。トレイ本体４０の前端４０Ｆは、カードトレイ３０全体の前端である。蓋部５２の露出面５２２は、可動部５０の後端５０Ｒに位置している。可動部５０の後端５０Ｒは、カードトレイ３０全体の後端（＋Ｘ側の端）である。
【００２７】
図１及び図２を参照すると、電子機器１０は、ＹＺ平面と平行な所定面１２を有している。所定面１２には、開口１８が形成されている。カードトレイ３０は、Ｘ方向において前方（−Ｘ方向）に移動することで、開口１８を通過してコネクタ２０の収容部２８（即ち、電子機器１０の内部）に挿入され収容される。即ち、電子機器１０には、カードトレイ３０が挿入される開口１８が形成されている。
【００２８】
本実施の形態によれば、トレイ本体４０を開口１８から電子機器１０の内部に挿入して、蓋部５２を前方に押圧すると、可動部５０を含むカードトレイ３０全体が電子機器１０の内部に収容され、蓋部５２は、開口１８を殆ど完全に塞ぐ。詳しくは、蓋部５２の露出面５２２は、電子機器１０の所定面１２と面一になり、開口１８を殆ど隙間なく塞ぐ。但し、本発明は、これに限られない。例えば、カードトレイ３０全体が電子機器１０の内部に収容された状態（図１及び図２に示された状態）において、開口１８には多少の隙間が残っていてもよい。また、この状態において、露出面５２２は、所定面１２よりも多少前方に位置してもよく、所定面１２よりも多少後方（＋Ｘ側）に位置してもよい。
【００２９】
カードトレイ３０は、図１及び図２に示された状態において、電子機器１０から簡単に引っ張り出すことができない。即ち、カードトレイ３０は、電子機器１０から排出困難である。但し、図１及び図２と併せて図３を参照すると、カードトレイ３０は、後に詳しく説明するように、電子機器１０から可動部５０を排出するための排出制御機構６０を備えている。即ち、電子機器１０に収容されたカードトレイ３０は、排出制御機構６０によって部分的に排出できる。
【００３０】
以下、本実施の形態によるカードトレイ３０の詳細な構造について説明した後、カードトレイ３０の様々な部材及び部位から形成される排出制御機構６０について、変形例を示しつつ詳しく説明する。
【００３１】
図５を参照すると、カードトレイ３０は、トレイ本体４０及び可動部５０に加えて、導電体からなる第１端子（端子）６２と、導電体からなる第２端子（端子）６４と、導電体からなる２つのバネ部（形状記憶部品）６８と、導電体からなるシェル７０とを備えている。
【００３２】
トレイ本体４０は、搭載部４６に加えて、取付部４２を有している。取付部４２は、搭載部４６の後方に位置しており、水平面（ＸＹ平面）と平行な平板形状を有している。図５及び図９を参照すると、取付部４２には、凹部４２２と、２つの受容部４２４とが形成されている。凹部４２２は、上下方向（Ｚ方向）において下方（−Ｚ方向）に凹んだ凹みである。凹部４２２は、後方に開口している。受容部４２４の夫々は、円柱形状の底のある穴である。受容部４２４の夫々は、取付部４２の後端において開口しており、取付部４２の内部をＸ方向に沿って延びている。凹部４２２は、横方向（Ｙ方向）において、２つの受容部４２４の間に位置している。
【００３３】
図５を参照すると、第１端子６２は、曲げを有する１枚の金属板である。第１端子６２は、接触部６２２と、連結部６２４と、接続部６２８とを有している。図５及び図６を参照すると、第１端子６２の大部分は、インサート成型によってトレイ本体４０の内部に埋め込まれている。図４を参照すると、接触部６２２は、Ｘ方向に沿って延びており、搭載部４６の−Ｙ側の側面上に部分的に露出している。図５、図６及び図８を参照すると、接続部６２８は、Ｙ方向に沿って延びており、受容部４２４の内部において部分的に露出している。連結部６２４は、接触部６２２及び接続部６２８を互いに連結している。
【００３４】
図５を参照すると、第２端子６４は、曲げを有する１枚の金属板である。第２端子６４は、接触部６４２と、接続部６４８とを有している。図５及び図６を参照すると、第２端子６４の大部分は、インサート成型によってトレイ本体４０の内部に埋め込まれている。図３を参照すると、接触部６４２は、Ｘ方向に沿って延びており、搭載部４６の＋Ｙ側の側面上に部分的に露出している。図５及び図９を参照すると、接続部６４８は、Ｙ方向に沿って延びており、取付部４２の上面（＋Ｚ側の面）上に部分的に露出している。
【００３５】
図５を参照すると、２つのバネ部６８は、互いに同じ形状を有している。より具体的には、バネ部６８の夫々は、金属製のつるまきばねであり、接続端６８２と、排出端６８４とを有している。図１２を参照すると、２つのバネ部６８は、トレイ本体４０の２つの受容部４２４に夫々挿入され受容されている。バネ部６８の夫々は、対応する受容部４２４の内部をＸ方向に沿って延びている。バネ部６８の夫々の接続端６８２は、第１端子６２の接続部６２８に接続されている。
【００３６】
図５に示されるように、可動部５０は、蓋部５２に加えて、張出部５４と、２つの力受部５６と、突出部５８とを有している。張出部５４は、Ｘ方向において露出面５２２の反対側に位置しており、蓋部５２から前方に張り出している。力受部５６の夫々は、円柱形状を有しており、張出部５４から前方に延びている。突出部５８は、ＸＹ平面と平行な平板形状を有しており、張出部５４から前方に突出している。突出部５８には、突出部５８をＺ方向に貫通する孔部５８Ｈが形成されている。図５及び図１２を参照すると、２つの力受部５６は、トレイ本体４０の２つの受容部４２４と夫々対応している。突出部５８は、トレイ本体４０の凹部４２２と対応しており、Ｙ方向において、２つの力受部５６の間に位置している。
【００３７】
図５を参照すると、可動部５０は、被受止部５８２と、２つの被ロック部５８８とを有している。被受止部５８２は、突出部５８の孔部５８Ｈの前端に位置する内壁面である。被ロック部５８８は、突出部５８のＹ方向における両側面に夫々形成された窪みである。被ロック部５８８の夫々は、Ｙ方向内側に（即ち、孔部５８Ｈに向かって）窪んでいる。
【００３８】
図１２を参照すると、可動部５０は、トレイ本体４０の内部に後方から部分的に挿入されている。詳しくは、可動部５０の力受部５６の夫々は、トレイ本体４０の対応する受容部４２４に挿入され受容されている。加えて、可動部５０の突出部５８は、トレイ本体４０の凹部４２２に挿入され受容されている。
【００３９】
図５を参照すると、シェル７０は、曲げを有する１枚の金属板である。詳しくは、図５、図１０及び図１２を参照すると、シェル７０は、上板７２と、２つの側板７４と、下板７６と、２つの後板７８と、受止部７２２と、２つのロック部７２８と、２つの係合片７４８とを有している。図４、図５及び図１０を参照すると、シェル７０は、トレイ本体４０の取付部４２に取り付けられており、上板７２、側板７４及び下板７６は、ＹＺ平面において取付部４２の大部分を覆っている。
【００４０】
図５及び図１２を参照すると、シェル７０の２つの係合片７４８は、２つの側板７４に夫々対応している。係合片７４８の夫々は、対応する側板７４の一部から形成されており、対応する側板７４の前端近傍からＹ方向内側に傾斜しつつ後方に延びている。図１２を参照すると、係合片７４８の夫々は、取付部４２の後端近傍の凹みに受容されており、シェル７０のトレイ本体４０に対する相対的な前方移動を防止している。加えて、後板７８の夫々は、取付部４２の後端を部分的に覆っており、シェル７０のトレイ本体４０に対する相対的な後方移動を防止している。即ち、シェル７０は、トレイ本体４０に対して相対的に移動しないように固定されている。
【００４１】
図５を参照すると、シェル７０の受止部７２２及びロック部７２８の夫々は、上板７２の一部から形成されている。受止部７２２は、上板７２の後端近傍から下方に傾斜しつつ前方に延びている。ロック部７２８の夫々は、上板７２の後端近傍から下方に延びた後、Ｙ方向内側に張り出しつつ前方に延びている。このように形成されたロック部７２８の夫々は、ＸＹ平面において弾性変形可能である。２つのロック部７２８は、可動部５０の２つの被ロック部５８８と夫々対応している。受止部７２２は、可動部５０の孔部５８Ｈと対応しており、Ｙ方向において、２つのロック部７２８の間に位置している。
【００４２】
図７を参照すると、シェル７０の受止部７２２の前端は、可動部５０の孔部５８Ｈに受容されている。可動部５０の被受止部５８２は、Ｘ方向において距離をあけて、受止部７２２の前端と対向している。このときの可動部５０のトレイ本体４０に対する相対的な位置を「初期位置」という。図１から図４まで及び図６から図１２までの夫々に描画された可動部５０は、初期位置にある。図１及び図２を参照すると、カードトレイ３０が電子機器１０に収容された収容状態において、可動部５０が初期位置にあるとき、可動部５０を含むカードトレイ３０全体が電子機器１０の内部に収容されており、可動部５０の蓋部５２は、電子機器１０の開口１８を塞いでいる。
【００４３】
図６、図８、図９及び図１２を参照すると、可動部５０が初期位置にあるときのバネ部６８の形状を「初期形状」という。図８及び図１２を参照すると、初期形状を取っているバネ部６８の夫々において、排出端６８４は、可動部５０と接触している。詳しくは、２つのバネ部６８の排出端６８４は、２つの力受部５６の前端と夫々接触している。力受部５６の夫々は、対応する初期形状のバネ部６８の排出端６８４に対して、前方に向かう力を多少加えていてもよいし、前方に向かう力を加えることなく単に接触していてもよい。換言すれば、バネ部６８の夫々が初期形状を取っているとき、排出端６８４は、対応する力受部５６に対して、後方に向かう僅かな力（以下、「初期力」という。）を加えていてもよいし、初期力を全く加えていなくてもよい。
【００４４】
図１２を参照すると、可動部５０が初期位置にあるとき、シェル７０の２つのロック部７２８は、Ｙ方向において互いに離れるようにして弾性変形しており、これにより、突出部５８をＹ方向において挟み込んでいる。詳しくは、ロック部７２８の夫々は、対応する被ロック部５８８に対して前方及びＹ方向内側に向かう力（以下「維持力」という。）を加えている。可動部５０は、２つのロック部７２８から維持力を受けており、これにより、２つのバネ部６８から初期力を受けていたとしても、初期位置に維持されている。
【００４５】
図７及び図８を参照すると、初期位置にある可動部５０を前方に向かって押すと、可動部５０は、バネ部６８を圧縮しつつ、トレイ本体４０に対して相対的に前方に移動する。但し、可動部５０が僅かに前方に移動すると、可動部５０の一部がトレイ本体４０に突き当たり、これにより可動部５０は停止する。可動部５０が停止するときの可動部５０のトレイ本体４０に対する相対的な位置を「前方限界位置」という。可動部５０が前方限界位置にあるとき、可動部５０の後端５０Ｒは、Ｘ方向において、トレイ本体４０の前端４０Ｆに最も接近している。
【００４６】
図７及び図１５を参照すると、初期位置にある可動部５０を後方に向かって引っ張ると、可動部５０は、トレイ本体４０に対して相対的に後方に移動する。但し、可動部５０が後方に移動すると、可動部５０の被受止部５８２がシェル７０の受止部７２２に突き当たり、これにより可動部５０は停止する。可動部５０が停止するときの可動部５０のトレイ本体４０に対する相対的な位置を「後方限界位置」という。図１３から図１８までの夫々に描画された可動部５０は、後方限界位置にある。可動部５０が後方限界位置にあるとき、可動部５０の後端５０Ｒは、Ｘ方向において、トレイ本体４０の前端４０Ｆから最も離れている。
【００４７】
上述したように、可動部５０は、Ｘ方向において、トレイ本体４０に対して相対的に移動可能である。特に、本実施の形態の可動部５０は、Ｘ方向において、前方限界位置と後方限界位置との間をトレイ本体４０に対して相対的に移動可能である。可動部５０は、前方限界位置を越えて前方に移動できず、且つ、後方限界位置を越えて後方に移動できない。詳しくは、可動部５０がトレイ本体４０に対して相対的に後方に移動する際、可動部５０が後方限界位置に達すると、被受止部５８２が受止部７２２に受け止められる。また、初期位置は、Ｘ方向において、前方限界位置と後方限界位置との間にある。但し、本発明は、これに限られない。例えば、初期位置は、前方限界位置と同じ位置にあってもよい。
【００４８】
図５を参照すると、カードトレイ３０の上述した様々な部材や部位（以下、単に「部材」という。）は、排出制御機構６０を形成している。本実施の形態の排出制御機構６０は、金属製のシェル７０と、第１端子６２及び第２端子６４を含む金属製の２つの端子６２，６４と、金属製の２つのロック部７２８と、金属製の２つのバネ部（形状記憶部品）６８とを備えている。本実施の形態のバネ部６８の夫々は、形状記憶合金からなる形状記憶部品であり、バネ部６８の温度に応じて、初期形状から、図１４及び図１６の夫々に示される所定形状に復元し、且つ、所定形状から初期形状に戻る。
【００４９】
図６を参照すると、電子機器１０は、第１接点（接点）１４及び第２接点（接点）１６を含む２つの接点１４，１６を備えている。本実施の形態において、第１接点１４は、電子機器１０の電源（図示せず）に接続されており、第２接点１６は、グランドされている。但し、第１接点１４がグランドされており、第２接点１６が電子機器１０の電源に接続されていてもよい。
【００５０】
排出制御機構６０の端子６２，６４は、カードトレイ３０の収容状態において、電子機器１０の接点１４，１６と夫々接触する。詳しくは、収容状態において、第１端子６２の接触部６２２及び第２端子６４の接触部６４２は、第１接点１４及び第２接点１６と夫々接触している。
【００５１】
図６及び図１４を参照すると、本実施の形態によれば、本実施の形態において、可動部５０及び排出制御機構６０の様々な部材は、いずれも金属性であり良好な導電体である。可動部５０が初期位置及び後方限界位置のいずれにあるときにも、可動部５０及び排出制御機構６０の様々な部材は、互いに電気的に接続されている。詳しくは、可動部５０が初期位置及び後方限界位置のいずれにあるときにも、バネ部６８の夫々の接続端６８２は、第１端子６２に接続されており、バネ部６８の夫々の排出端６８４は、可動部５０と接触している。可動部５０は、被ロック部５８８及びロック部７２８を介して、シェル７０と接触している。また、図９を参照すると、シェル７０の上板７２は、第２端子６４の接続部６４８に接続されている。即ち、シェル７０は、第２端子６４と接触している。
【００５２】
図６を参照すると、上述の電気的接続により、カードトレイ３０には、第１接点１４と接触した第１端子６２から、可動部５０及びシェル７０を経由して、第２接点１６と接触した第２端子６４に至る電気経路が形成されている。電子機器１０の電源（図示せず）から第１接点１４に電流を流すと、電流は電気経路を経由して第２接点１６からグランドされる。本実施の形態のバネ部６８の夫々は、接点１４及び端子６２を経由してバネ部６８を流れる電流によって発熱する。バネ部６８の夫々は、常温において初期形状を取る一方、例えば７０℃以上の高温において、予め記憶された形状である所定形状を取る。即ち、バネ部６８の夫々は、発熱すると初期形状から所定形状に復元し、常温に戻ると初期形状に戻る。
【００５３】
図１２を参照すると、初期形状を取っているバネ部６８の夫々の長さは、長さＬＩである。図１６を参照すると、所定形状を取っているバネ部６８の夫々の長さは、長さＬＰである。図１２及び図１６を参照すると、長さＬＰは、長さＬＩよりも長い。従って、バネ部６８の夫々が所定形状に復元する際、排出端６８４は、可動部５０の対応する力受部５６に対して、後方に向かう排出力を加える。排出力は、初期形状のバネ部６８の夫々が対応する力受部５６に対して加える初期力に比べて十分に大きい。特に、排出力は、ロック部７２８が可動部５０を初期位置に維持する維持力よりも大きい。このため、被ロック部５８８は、排出力によってロック解除され、可動部５０は、後方に移動する。
【００５４】
図１２を参照すると、本実施の形態によれば、バネ部６８の夫々は、初期形状を取っているとき、可動部５０に対して後方に向かう初期力を加えており、これにより、確実に可動部５０と接触している。初期力は、バネ部６８が所定形状に復元するときの排出力よりも弱い。ロック部７２８は、バネ部６８が初期形状を取っているとき、この弱い初期力に抗って可動部５０を一時的に初期位置に維持する。バネ部６８を確実に可動部５０と接触させるという観点から、初期力は、比較的強い方が好ましい。一方、ロック部７２８によって可動部５０を確実に初期位置に維持するという観点から、初期力は、比較的弱い方が好ましく、ゼロであることが更に好ましい。
【００５５】
図６を参照すると、本実施の形態によれば、バネ部６８の夫々は、可動部５０と、シェル７０のロック部７２８と、シェル７０の上板７２とを経由して、第２端子６４に電気的に接続されている。但し、バネ部６８の夫々は、可動部５０及びシェル７０に代えて、金属線等の金属部材（図示せず）のみによって第２端子６４に電気的に接続されていてもよい。この場合、可動部５０は、樹脂等の絶縁体から形成してもよい。また、ロック部７２８の夫々は、シェル７０と別体の部材であってもよい。例えば、ロック部７２８の夫々は、樹脂等の絶縁体からなる部材であってもよい。
【００５６】
本実施の形態によれば、バネ部６８の夫々は、金属線をコイル状に巻回して形成されており、これにより、比較的高い電気抵抗と低い比熱とを有している。即ち、バネ部６８の夫々は、電流によって高温に発熱し易い。但し、本発明は、これに限られない。例えば、バネ部６８の夫々は、所定形状に復元する際に必要な排出力を生じる限り、つるまきばねではなく、板状のバネであってもよい。この場合、バネ部６８の夫々は、所定形状に復元する際に、可動部５０の突出部５８の前端を後方に押圧してもよい。この構造によれば、受容部４２４及び力受部５６を設けなくてもよい。また、バネ部６８の数は、２に限られず、１であってもよいし、３以上であってもよい。
【００５７】
上述したように、本実施の形態の形状記憶部品６８（バネ部６８）は、接点１４及び端子６２を経由して流れる電流に応じて初期形状から所定形状に変形する。特に、本実施の形態の形状記憶部品６８は、形状記憶合金からなり、接点１４及び端子６２を経由して形状記憶部品６８を流れる電流に応じて初期形状から所定形状に変形して復元する。排出制御機構６０は、形状記憶部品６８が所定形状に変形（復元）することで、ロック部７２８による可動部５０のロックを解除し、可動部５０を初期位置から後方に移動させる。
【００５８】
特に、本実施の形態の排出制御機構６０は、ロック部７２８の維持力によって、可動部５０を一時的に初期位置に維持する一方、接点１４及び端子６２を経由して流れる電流に応じてバネ部６８に排出力を生じさせて、可動部５０を初期位置から後方に移動させる。但し、本発明は、これに限られない。排出制御機構６０は、可動部５０を一時的に初期位置に維持することができ、且つ、接点１４及び端子６２を経由して流れる電流に応じて、可動部５０を初期位置から後方に移動させることができる限り、どのような構造を有していてもよい。
【００５９】
図６及び図１４を参照すると、本実施の形態によれば、電子機器１０を操作画面（図示せず）で操作する等の方法によって、排出制御機構６０に電流を流すだけで、可動部５０を後方に向かって移動させることができる。図１７及び図１８を参照すると、このように後方に移動した可動部５０は、後方限界位置に位置し、電子機器１０から少なくとも部分的に排出される。詳しくは、可動部５０の蓋部５２を、開口１８から電子機器１０の外部に排出できる。例えば、電子機器１０から排出された可動部５０の蓋部５２を後方に引っ張ることで、カードトレイ３０全体を電子機器１０から抜去できる。即ち、本実施の形態によれば、コネクタ２０に挿入したカードトレイ３０を、ピンのような操作ツールを使用することなく排出可能な排出制御機構６０（図６参照）を提供できる。
【００６０】
本実施の形態によれば、コネクタ２０に、ロック機構、ロック解除機構、イジェクト機構のような様々な機構（図２０参照）を設けなくてもよい。但し、カードトレイ３０の排出制御機構６０に加えて、コネクタ２０に上述の機構を設けてもよい。
【００６１】
図１４を参照すると、本実施の形態によれば、収容状態において、可動部５０が後方限界位置にあるときにも、ロック部７２８の夫々は、対応する被ロック部５８８と接触しており、且つ、バネ部６８の夫々は、第１端子６２の接続部６２８及び可動部５０と接触している。従って、可動部５０が後方限界位置にあるときにも、第１接点１４から第２接点１６に至る電気経路が維持されている。本実施の形態によれば、排出制御機構６０を流れる電流を、電子機器１０の制御部（図示せず）が所定のタイミングで停止することで、バネ部６８は、所定形状から初期形状に戻る。このとき、可動部５０を前方に移動させると、可動部５０は、初期位置に戻る。但し、本発明は、これに限られない。例えば、可動部５０が後方限界位置にあるとき、ロック部７２８の夫々は、対応する被ロック部５８８から離れていてもよい。
【００６２】
図６を参照すると、本実施の形態によれば、排出制御機構６０は、トレイ本体４０に取り付けられている。詳しくは、ロック部７２８を含むシェル７０は、トレイ本体４０に固定されており、第１端子６２及び第２端子６４の夫々は、トレイ本体４０の内部に固定されている。また、バネ部６８の夫々の接続端６８２は、端子６２の接続部６２８に固定されている。この構造によれば、収容状態において、可動部５０が後方限界位置にあるときにも、端子６２，６４は、接点１４，１６と夫々確実に接触して、排出制御機構６０に電流を流す。但し、本発明は、これに限られず、排出制御機構６０の一部又は全部が可動部５０に取り付けられていてもよい。例えば、端子６２，６４は、可動部５０に固定されていてもよい。バネ部６８の夫々の排出端６８４は、可動部５０の対応する力受部５６に固定されていてもよい。また、バネ部６８の夫々は、可動部５０の一部であってもよい。
【００６３】
図３を参照すると、本実施の形態によれば、トレイ本体４０に取り付けられたシェル７０等の排出制御機構６０は、トレイ本体４０と共に内部構造体３２を形成している。図５を参照すると、本実施の形態によれば、シェル７０の受止部７２２は、内部構造体３２（図３参照）の一部である。換言すれば、トレイ本体４０及び排出制御機構６０からなる内部構造体３２は、受止部７２２を有している。
【００６４】
特に、本実施の形態の受止部７２２は、排出制御機構６０の一部である。但し、受止部７２２は、トレイ本体４０の一部であってもよい。例えば、受止部７２２は、凹部４２２に形成された突起であってもよい。また、カードトレイ３０には、被受止部５８２及び受止部７２２を設けなくてもよく、バネ部６８の夫々は、可動部５０に固定しなくてもよい。図１７及び図１８を参照すると、この場合、可動部５０を後方に向かって引っ張ると、可動部５０は、後方に移動してトレイ本体４０から抜去される。可動部５０を抜去した後、例えば、取付部４２又はシェル７０の後端に設けた突起部（図示せず）を保持して、カードトレイ３０を後方に引っ張り出してもよい。
【００６５】
図５を参照すると、本実施の形態の蓋部５２は、可動部５０の一部である。但し、蓋部５２は、可動部５０と別体の部材であってもよく、容易に取り外せるようにして可動部５０の張出部５４に取り付けられていてもよい。図１７及び図１８を参照すると、この場合、蓋部５２の露出面５２２に設けた摘み部（図示せず）を摘んで蓋部５２を取り外した後、可動部５０を後方限界位置に移動させ、可動部５０の一部を保持して、カードトレイ３０を後方に引っ張り出してもよい。
【００６６】
本実施の形態のカードトレイ３０（特に、排出制御機構６０）は、既に説明した変形例に加えて、以下に説明するように、更に様々に変形可能である。
【００６７】
図１２を参照すると、本実施の形態によれば、バネ部６８は、形状記憶合金からなる形状記憶部品である一方、ロック部７２８は、形状記憶合金ではない一般的な金属からなるシェル７０の一部である。即ち、ロック部７２８は、形状記憶部品ではない。但し、バネ部６８に代えて、ロック部７２８が形状記憶合金からなる形状記憶部品であってもよい。この構造によっても、排出制御機構６０は、可動部５０を後方に移動させることができる。
【００６８】
詳しくは、バネ部６８に代えてロック部７２８が形状記憶部品である場合、可動部５０が初期位置にあるとき、バネ部６８は、前方に圧縮され、可動部５０に対して排出力を加える。一方、ロック部７２８は、初期形状を取っているとき、排出力に抗って被ロック部５８８をロックして、可動部５０を一時的に初期位置に維持する。ロック部７２８は、所定形状に復元する際、Ｙ方向において被ロック部５８８から離れるように変形する。即ち、被ロック部５８８は、ロック部７２８が所定形状に復元することで、ロック解除される。図１３及び図１５を参照すると、この結果、可動部５０は、排出力によって後方に移動し、後方限界位置に位置する。
【００６９】
図１２を参照すると、ロック部７２８及びバネ部６８の少なくとも一方は、形状記憶部品であってもよい。例えば、ロック部７２８及びバネ部６８の夫々が形状記憶部品であってもよい。この構造によっても、排出制御機構６０は、可動部５０を後方に移動させることができる。詳しくは、ロック部７２８は、形状記憶部品（ロック部７２８及びバネ部６８）が初期形状を取っているとき、被ロック部５８８をロックして、可動部５０を一時的に初期位置に維持する。バネ部６８は、少なくとも形状記憶部品が所定形状に復元するとき、可動部５０に対して排出力を加える。被ロック部５８８は、形状記憶部品が所定形状に復元するとき、排出力に加えてロック部７２８の所定形状への復元によってロック解除される。
【００７０】
ロック部７２８は、絶縁体である形状記憶ポリマーからなる形状記憶部品であってもよい。この場合、第１端子６２から第２端子６４に至る電気経路の途中に電熱線等の発熱部材を設けてもよい。発熱部材は、ロック部７２８の近傍に配置してもよい。この構造によっても、排出制御機構６０は、可動部５０を後方に移動させることができる。
【００７１】
図６を参照すると、カードトレイ３０は、本実施の形態の排出制御機構６０に代えて、例えばデジタル信号に応じて動作する排出制御機構を備えていてもよい。排出制御機構がデジタル信号に応じて動作する場合、第１接点１４は、電子機器１０の電源（図示せず）ではなく制御部（図示せず）に接続されていてもよい。また、第１接点１４から第１端子６２に供給される電流は、電子機器１０の制御部（図示せず）が出力するデジタル信号を搬送してもよい。換言すれば、第１端子６２に供給される電流は、電気信号でもよい。
【００７２】
図５を参照すると、トレイ本体４０の取付部４２、可動部５０及びシェル７０の構造は、排出制御機構６０の構造に応じて様々に変形可能である。特に、取付部４２及びシェル７０は、必要に応じて設ければよい。
【符号の説明】
【００７３】
１０          電子機器
１２          所定面
１４          第１接点（接点）
１６          第２接点（接点）
１８          開口
２０          コネクタ
２２          ハウジング
２４          シールド部材
２８          収容部
３０          カードトレイ
３２          内部構造体
４０          トレイ本体
４０Ｆ        前端
４２          取付部
４２２        凹部
４２４        受容部
４６          搭載部
５０          可動部
５０Ｒ        後端
５２          蓋部
５２２        後面（露出面）
５４          張出部
５６          力受部
５８          突出部
５８Ｈ        孔部
５８２        被受止部
５８８        被ロック部
６０          排出制御機構
６２          第１端子（端子）
６２２        接触部
６２４        連結部
６２８        接続部
６４          第２端子（端子）
６４２        接触部
６４８        接続部
６８          バネ部（形状記憶部品）
６８２        接続端
６８４        排出端
７０          シェル
７２          上板
７２２        受止部
７２８        ロック部
７４          側板
７４８        係合片
７６          下板
７８          後板
８０          カード
【図１】
2020008974.tif 000003
【図２】
2020008974.tif 000004
【図３】
2020008974.tif 000005
【図４】
2020008974.tif 000006
【図５】
2020008974.tif 000007
【図６】
2020008974.tif 000008
【図７】
2020008974.tif 000009
【図８】
2020008974.tif 000010
【図９】
2020008974.tif 000011
【図１０】
2020008974.tif 000012
【図１１】
2020008974.tif 000013
【図１２】
2020008974.tif 000014
【図１３】
2020008974.tif 000015
【図１４】
2020008974.tif 000016
【図１５】
2020008974.tif 000017
【図１６】
2020008974.tif 000018
【図１７】
2020008974.tif 000019
【図１８】
2020008974.tif 000020
【図１９】
2020008974.tif 000021
【図２０】
2020008974.tif 000022
【図２１】
2020008974.tif 000023